(57)【要約】【課題】筆構造の従来の化粧ブラシに比べて低コストで、しかも化粧ブラシの用途に応じて自由に外形形状を設定できる、起毛生地を塗布要素とする化粧ブラシを提供する。【解決手段】支持具１と、支持具１に装着される塗布体２とを備えている。塗布体２は、弾性発泡材からなる芯材５と、芯材５の外面に配置される塗布要素６と、支持具１に対する装着部７とを含んで構成する。芯材５の外面に、化粧材の侵入を防ぐ遮蔽層９を形成する。塗布要素６は起毛生地で袋状に形成して、その外面に起毛面１０を露出させる。塗布体２の内部に、塗布体２の過剰な変形を規制する保形体８を配置する。芯材５の表面を凹凸面状に形成して、芯材５の凹部１７と塗布要素６との間に遊動空間１８を確保する。【選択図】図１
2010057791.tif 000002
【特許請求の範囲】
【請求項１】
支持具（１）と、支持具（１）に装着される塗布体（２）とを備えており、
前記塗布体（２）は、弾性発泡材からなる芯材（５）と、芯材（５）の外面に配置される塗布要素（６）と、支持具（１）に対する装着部（７）とを含んで構成されており、
前記塗布要素（６）が起毛生地で形成されて、その外面に起毛面（１０）が露出してあることを特徴とする化粧ブラシ。
【請求項２】
塗布体（２）の内部に、化粧材が芯材（５）の内部へ侵入するのを防ぐ遮蔽層（９）が形成してある請求項１に記載の化粧ブラシ。
【請求項３】
芯材（５）の外面が袋状の塗布要素（６）で覆われており、
芯材（５）の表面が凹凸面状に形成されて、芯材（５）の凹部（１７）と塗布要素（６）との間に遊動空間（１８）が確保してある請求項１または２に記載の化粧ブラシ。
【請求項４】
塗布体（２）の内部に、塗布体（２）の過剰な変形を規制する保形体（８）が配置してある請求項１、２または３に記載の化粧ブラシ。
【請求項５】
保形体（８）が芯材（５）の内部に配置してある請求項１から４のいずれかに記載の化粧ブラシ。
【発明の詳細な説明】
【技術分野】
【０００１】
本発明は、チークブラシ、フェイスブラシ、シャドウブラシ、ボタン刷毛などに代表される化粧用ブラシに関する。
【背景技術】
【０００２】
化粧ブラシは、ブラシ毛を束ねて形成されるブラシ穂と、ブラシ穂を支持する軸体とで構成される。この種のブラシ毛は、多くの場合イタチ、リス、山羊、馬などの獣毛を素材にして形成されており、柔軟性に優れ肌さわりが良いこと、粉状の化粧材の保持作用に優れていること、さらに保持した化粧材の肌面への転着性が良いことなど、合成繊維に比べて優れた特性を備えている。
【０００３】
しかし、獣毛の供給量には限界があって入手しにくい状況にあり、そのため獣毛を素材とする化粧ブラシ、とくに毛足の長い獣毛を大量に使用するチークブラシやフェイスブラシは高価にならざるをえない。また、獣毛製のブラシ毛は害虫が繁殖しやすいうえ、使用者によっては獣毛に対してアレルギーを発症するおそれがある。こうした状況から、ブラシ毛の素材として合成繊維の使用率が高まる傾向にある。その一方で、プラスチック製の芯体の外面に短繊維を植毛したブラシ（特許文献１参照）や、エラストマーを素材とする射出成形品からなる塗布体（特許文献２参照）など、ブラシ毛を使用しないチップ構造の化粧ブラシの使用も拡大する傾向にある。
【０００４】
本発明の化粧ブラシは、起毛生地を塗布要素にして化粧ブラシを構成するが、この種の塗布用具は粉状ないしペースト状の化粧材を塗布するパフとして広く知られている。例えば特許文献３には、発泡ポリウレタン製の中芯の外面をベルベット生地で覆う構造のパフが開示してある。ベルベット生地は袋状に形成してあり、その内面に中芯が接着剤で固定してある。
【０００５】
【特許文献１】特許第３４７８７３８号公報（段落番号００１３、図３）
【特許文献２】特開２００６−２９６６２５号公報（段落番号００２７、図３）
【特許文献３】特開平１０−２１１０１８号公報（段落番号００１９、図１）
【発明の開示】
【発明が解決しようとする課題】
【０００６】
先に説明したように、獣毛を常に安定した状態で入手するのは困難であり、入手できたとしても獣毛品質のばらつきを調整して、均質な化粧ブラシを形成するのには多くの手間が掛かる。そのため、ブラシ毛は合成繊維に置き換えられる傾向にあるが、獣毛で構成したブラシ毛の特性には及ばない。また、繊維表面の改質を行なうなど獣毛の特性に近づける努力がなされているものの、充分な成果は得られていない。そこで本発明者は、入手が容易で品質が安定している起毛生地を塗布要素にして化粧ブラシを構成することを思いつき、本発明を提案するに至った。
【０００７】
本発明の目的は、起毛生地を塗布要素とする化粧ブラシを提供することにある。本発明の目的は、獣毛や合成繊維などのブラシ毛で形成される筆構造の化粧ブラシに比べて低コストで、しかも化粧ブラシの用途に応じて自由に外形形状を設定できるチップ構造の化粧ブラシを提供することにある。
【課題を解決するための手段】
【０００８】
本発明の化粧ブラシは、支持具１と、支持具１に装着される塗布体２とを備えている。塗布体２は、弾性発泡材からなる芯材５と、芯材５の外面に配置される塗布要素６と、支持具１に対する装着部７とを含んで構成する。塗布要素６は起毛生地で形成されて、その外面に起毛面１０が露出してあることを特徴とする。
【０００９】
塗布体２の内部には、化粧材が芯材５の内部へ侵入するのを防ぐ遮蔽層９を形成する。なお、遮蔽層９は、芯材５の外面と塗布要素６の内面とのいずれかに設けることができる。
【００１０】
芯材５の外面を袋状の塗布要素６で覆う。芯材５の表面を凹凸面状に形成して、芯材５の凹部１７と塗布要素６との間に遊動空間１８を確保する。
【００１１】
塗布体２の内部に、塗布体２の過剰な変形を規制する保形体８を配置する。
【００１２】
保形体８を芯材５の内部に配置する。
【発明の効果】
【００１３】
本発明では、化粧ブラシの塗布体２を弾性発泡材からなる芯材５と、芯材５の外面に配置される塗布要素６などで構成した。また、起毛生地で塗布要素６を形成して、その外面に露出させた起毛面１０で化粧材を塗布できるようにした。このように、工業製品を素材とする芯材５と塗布要素６とで塗布体２を構成すると、パーツ素材を常に安定した状態で安価に入手できるうえ、その品質を常に一定に維持できる。また、筆構造の従来の化粧ブラシに比べて、より少ない加工工数で塗布体２を形成できる。したがって、本発明の化粧ブラシは、獣毛や合成繊維などのブラシ毛で形成される筆構造の化粧ブラシに比べて、素材コストと加工コストを圧縮してブラシ全体の製造コストを大幅に削減でき、さらにブラシの品質も常に安定したものとすることができる。また、ベルベット生地などの起毛面１０を肌面に接触させながら化粧材を塗布するので、肌面に対する塗布体２の触感を柔らかで優しいものとすることができる。塗布体２を芯材５と塗布要素６とでチップ構造として構成するので、塗布体２の外形形状を必要に応じて任意形状に形成できる利点もある。
【００１４】
塗布体２の内部に遮蔽層９を形成すると、化粧材が芯材５の空孔内へ侵入しようとするのを遮蔽層９で確実に防止して、化粧材の無駄な消費を阻止できる。また、空孔内へ侵入した化粧材が変質したり、いやな臭いを発するなど、化粧材が芯材５の内部に侵入することに伴なう不具合を未然に防止して、化粧ブラシを衛生的な状態に維持できる。さらに、化粧ブラシを洗浄あるいは洗濯するような場合に、芯材５の内部に洗浄水が吸収されるのを防いで、乾燥を促進できる利点もある。
【００１５】
芯材５の表面を凹凸面状に形成して、芯材５の凹部１７と芯材５の外面を覆う塗布要素６との間に遊動空間１８を確保する化粧ブラシによれば、使用時における塗布要素６を遊動空間１８の範囲内で内凹み変形できる。したがって、化粧材を肌面に塗布するときに、塗布要素６を肌面の起伏や凹凸によく馴染ませることができる。また、塗布要素６を遊動空間１８の内部へ凹ませて、肌触りを柔軟なものとすることができる。さらに、化粧材あるいは肌面と起毛面１０との接触面積を大きくして、化粧材の塗布やぼかしを効果的に行なうことができる。
【００１６】
塗布体２の内部に保形体８が配置してあると、化粧ブラシを使用するとき塗布体２が過剰に変形するのを規制して、肌面に対する化粧材の塗布を使用者の意図どうりに的確に行なうことができる。とくに、化粧材を線状、あるいは局部的に塗布するような場合であっても、塗布途中に塗布体２が大きく折れ曲がったり、押し潰されてしまうなどの変形を防いで化粧材を的確に塗布できる。
【００１７】
保形体８を芯材５の内部に配置すると、塗布体２の外面の任意の起毛面１０で化粧材を保持して塗布することができる。例えば、塗布体２が扁平に形成してあるような場合には、表面あるいは裏面の違いを意識する必要もなく、表裏両面の起毛面１０に化粧材を含ませて肌面に塗布できる。因みに、保形体８が芯材５の外面に配置してあると、保形体８を配置した側の塗布要素６が保形体８で直接支持されるので、肌触りが硬くなるのを避けられず、したがって化粧材を塗布する側の表面を意識して使用しなければならない煩わしさがある。
【発明を実施するための最良の形態】
【００１８】
（実施例）  図１ないし図３は本発明に係る化粧ブラシをシャドウブラシに適用した実施例を示す。図２において化粧ブラシは、上下に長い軸状の支持具１と、支持具１に装着される塗布体２と、塗布体２を支持具１に固定するための口金３で構成する。塗布体２は、弾性発泡材からなる芯材５と、芯材５の外面を覆う塗布要素６と、支持具１に装着するための装着部７と、保形体８とで構成する。
【００１９】
芯材５は発泡ウレタン、発泡スチレン、発泡シリコンなどの発泡処理されたエラストマー材で形成するのが好適であり、先のエラストマー材を発泡成形して、あるいはエラストマー材の発泡シートを打ち抜いて形成することができる。この実施例では、芯材５を花弁状に形成した（図３参照）。芯材５の表面には遮蔽層９を形成する。遮蔽層９は、発泡処理されたエラストマー材と同じ弾性を発揮できる接着剤、あるいは未発泡のエラストマーを芯材５の表面に塗布ないし付着させて形成する。遮蔽層９を設けることにより、塗布要素６の内部に侵入した化粧材が芯材５に内部に侵入するのを防いで、化粧材が無駄に消費されるのを防止できる。
【００２０】
塗布要素６は、ベルベットに代表されるパイル生地、ビロード織物、パイル織物、あるいは基布の表面に短繊維が静電植毛してある植毛生地などの起毛生地を素材にして、縫着あるいは熱溶着によって袋状に形成してあり、少なくとも外面の全体に起毛面１０が露出させてある。起毛面１０の起毛長さは、化粧ブラシの用途に応じて１〜１０ｍｍの範囲内で選定することができ、この実施例のシャドウブラシの起毛長さは２〜５ｍｍとした。起毛生地は、綿、絹などの天然繊維や、ナイロン、ポリエステル、アクリルなどの合成繊維を素材にして形成してあればよく、必要があれば前記繊維の２以上を混紡して、あるいは獣毛を混紡して形成することができる。
【００２１】
装着部７は、芯材５および塗布要素６を圧縮変形して、あるいは該当する部分を糸で固縛して棒状に形成してあり、口金３に差し込み装着したうえで、口金３の内面に塗布した接着剤層１１によって分離不能に固定してある。装着部７の形状や大きさは、口金３の形状や大きさ、あるいは支持具１の形状や大きさに応じて適合させることになる。保形体８はプラスチック製の扁平な棒状体からなり、その殆どの部分が芯材５の内部に差し込まれている。保形体８を設けることにより、使用時の塗布体２が口金３の開口端部分で折れ曲がり、あるいは塗布体２が先端から口金３の側へ向かって押し潰されるなど、塗布体２の過剰な変形を規制して、塗布体２の外形を適正な状態に保持できる。
【００２２】
塗布体２は以下の手順で形成することができる。塗布体２の完成形状に対応して起毛生地を裁断したのち、起毛面１０が生地裏になる状態で裁断生地の周縁の大半を袋状に縫着ないし熱溶着する。未縫着のままの袋の開口を利用して生地を裏返えして、起毛面１０を外面に露出させる。この状態の生地ブランクに保形体８が装着された芯材５を充填して外形を整え、塗布要素６の未縫着部側と芯材５の基端部分とを圧縮変形して丸棒状の装着部７を形成する。必要に応じて装着部７の外面に接着剤を塗布して、その外形形状を固定することができる。この状態の塗布体２を口金３の一端に差し込み、接着剤層１１で固定することにより塗布体２を完成する。最後に、予め形成しておいた支持具１の装着端を口金３の他端に固定して、シャドウブラシを完成する。
【００２３】
得られたシャドウブラシは、容器に充填された固形ないし半固形の化粧材に塗布要素６を擦り付けて、粉状の化粧材を起毛面１０に保持させる。次に、まつ毛と眼との間の肌面に起毛面１０を擦り付けて、起毛部に保持された化粧材を肌面に塗布する。さらに塗布部を塗布要素６で繰り返し払拭して化粧材を拡散させ、塗布部の輪郭をぼやけさせる。上記の塗布操作を肌面に繰り返し行なって、化粧材を所望する塗布状態に仕上げる。
【００２４】
以上のように、芯材５と塗布要素６とで構成した塗布体２によれば、芯材５の形成素材である発泡処理されたエラストマー材や、塗布要素６の形成素材である起毛生地などの、塗布体２を構成する各パーツの素材を常に安定した状態で安価に入手できる。また、入手したエラストマー材や起毛生地の品質にばらつきはなく、常に一定の品質を発揮できる。さらに塗布体２は、筆構造の化粧ブラシに比べてより少ない加工工数で加工できる。したがって、本発明の化粧ブラシは、獣毛や合成繊維などのブラシ毛で形成される筆構造の化粧ブラシに比べて、素材コストと加工コストを圧縮して低コストで製造でき、その品質も常に安定したものとすることができる。また、ベルベット生地などの起毛面１０を肌面に接触させながら化粧材を塗布するので、肌面に対する塗布体２の触感を柔らかで優しいものとすることができる。
【００２５】
図４ないし図７は、本発明の化粧ブラシの別の実施例を示す。この実施例における化粧ブラシはチークブラシであって、櫛形の支持具１と、支持具１に装着される塗布体２と、支持具１に対して着脱自在に装着される保護キャップ１４と、塗布体２を支持具１に装着するための装着枠１５と、芯材５の内部に配置される保形体８などで構成する。
【００２６】
塗布体２は、前後一対の芯材５・５と、芯材５・５の間に挟持される保形体８と、芯材５の外面を覆う塗布要素６などで、全体の外形形状が半円状に形成してある。このように、塗布体２を半円状に形成することにより、面積が大きな頬部分に化粧材を効果的に塗布し、あるいは塗布部の周縁をぼかす処理を円滑に行なうことができる。芯材５はエラストマー材を素材にして射出成形機で発泡成形することにより形成してあり、その芯材５の片方の表面には、上下方向に長い複数個のリブ状の突起１６が形成してある。塗布要素６は、装着部７の側が開口する扁平な袋状に逢着して、起毛面１０が外面に露出してある。その内面には、先の実施例と同様の遮蔽層９が形成してある（図６参照）。突起１６は、左右方向に長いリブ状突起で形成してもよい。
【００２７】
保形体８は、ポリプロピレンなどの靭性に優れたプラスチックシート材、あるいは薄い金属板ばね材を素材にして芯材５よりひとまわり小さな舌片状に形成する。保形体８を一対の芯材５・５の間に挟み込み、両芯材５・５の周縁の接合面どうしを接着することにより、保形体８を芯材５と一体化することができる。この状態の芯材５の下端の取付部５ａを、上下面が開口する無端枠状の装着枠１５の内面に差し込み装着し、さらに、芯材５の外面に袋状の塗布要素６を被せ付けたのち、塗布要素６の下部内面を装着枠１５に接着することにより、芯材５、塗布要素６、保形体８と、装着枠１５とが一体化された塗布体２を得ることができる。最後に装着枠１５を支持具１に嵌まり込んで接着することにより、塗布体２を支持具１に対して確りと一体化できる。装着枠１５はプラスチック成形品で形成し、支持具１はプラスチック成形品、あるいはアルミニウム板材を絞り成形して形成することができる。
【００２８】
上記の化粧ブラシによれば、隣接するリブ状突起１６の間に形成される凹部１７と塗布要素６との間に三角形状の遊動空間１８が形成されるので、使用時における塗布要素６は確保された遊動空間１８の範囲内で内凹み方向へ変形できる。したがって、塗布要素６を固形ないし半固形の化粧材の表面に擦り付けるとき、あるいは、起毛面１０を肌面に擦り付けるとき、塗布要素６の生地面を遊動空間１８の内部へ凹ませて、肌触りを柔軟なものとすることができ、さらに化粧材あるいは肌面との接触面積を大きくして、化粧材の塗布やぼかしを効果的に行なうことができる。接着された芯材５の表裏両面に遊動空間１８を形成するので、化粧材の塗布面が表であるか裏であるかを意識する必要もなく、どちらの起毛面１０ででも化粧材を塗布することができる。
【００２９】
芯材５の内部に保形体８を装填するので、使用時の塗布体２が過剰に変形するのを保形体８で規制できる。このことは、塗布要素６によって化粧材を塗布するとき、塗布面の背面側の塗布要素を指先で支える必要がないことを意味しており、支持具１を掴んだだけの状態で、あたかも筆状のブラシで化粧材を塗布するのと同様に化粧材を好適に塗布し、あるいは塗布部の周辺をぼかすことができる。この実施例における化粧ブラシは、フェイスブラシとして使用することができ、その場合には、支持具１の構造を扁平な刷毛の柄と同様の構造にして、肌面の払拭を簡便に行なえるようにすることができる。
【００３０】
塗布体２の外観形状は、図８（ａ）〜（ｃ）に示すように各種の形状に自由に変更できる。図８（ａ）では、塗布体２を丸棒状に形成し、その先端を砲弾状にとがらせた。図８（ｂ）では、塗布体２を丸棒状に形成し、その先端を傾斜面で形成した。図８（ｃ）では、塗布体２を６角棒状に形成し、その先端を傾斜面で形成した。このように、塗布体２の外観形状は必要に応じて、自由に設定することができる。
【００３１】
図９は、塗布体２の別の実施例を示す。そこでは、芯材５の周縁に沿って溝２１を形成しておき、塗布要素６の内面に形成される縫着部６ａを溝２１に収容できるようにした。このように、塗布要素６を芯材５に被せ付けた状態において、塗布要素６の縫着部６ａを溝２１の内部に収容すると、芯材５の周面が縫着部６ａに押潰されて塗布要素６の外形が不揃いになること、即ち塗布体２の外形がばらつくのを一掃できる。この場合の溝２１は、縫着部６ａの厚みに対応した溝幅に形成することができる。必要があれば、芯材５の周縁に沿って切込みを入れて溝２１とすることができる。また、先の実施例で説明したように、塗布要素６の内部に一対の芯材５・５を収容する場合には、芯材５・５の周縁部分を接着しないで溝２１とすることができる。
【００３２】
上記の実施例以外に、支持具１の外形は任意形状に形成でき、実施例で説明した形状には限定しない。同様に芯材５および塗布要素６の外形形状は、化粧ブラシの用途に応じて適宜設定すべきであるので、各実施例で説明した外形形状には限定しない。口金３は省略することができ、その場合には支持具１に装着穴を設けておいて、塗布体２の装着部７を先の装着穴に取り付けるとよい。
【００３３】
芯材５の横断面は、複数個の凹部１７を備えた断面形状に形成してあればよく、例えば花形や、星形、あるいは各辺部が中央部へ向かって凹む多角形断面状などに形成することができる。また、一群のディンプルを備えたゴルフボールのように形成することができる。突起１６は直線リブ状に形成する必要はなく、先端が丸められたボス状の突起や、波型のリブ状に形成することができる。要は、芯材５の表面が凹凸面状に形成してあればよい。
【００３４】
保形体８は、ばね線材で形成することができ、あるいは団扇や扇の骨材状に形成することができる。図１ないし図３で説明した化粧ブラシにおける保形体８は省略することができる。保形体８は芯材５の内部に配置する必要はなく、芯材５の背面と塗布要素６の背面との間に配置することができる。塗布要素６は袋状に形成する必要はなく、例えば、断面が四角形状の芯材５の対向面に塗布要素６を貼り付けて塗布体２とすることができる。本発明の化粧ブラシは、固形ないし半固形の化粧材を塗布する以外に、粉状、液状、あるいはゼリー状の化粧材を塗布する化粧ブラシとして使用することができる。
【図面の簡単な説明】
【００３５】
【図１】化粧ブラシの塗布体の縦断正面図である。
【図２】化粧ブラシの正面図である。
【図３】図２におけるＡ−Ａ線断面図である。
【図４】化粧ブラシの別の実施例を示す正面図である。
【図５】図４におけるＢ−Ｂ線断面図である。
【図６】図４におけるＣ−Ｃ線断面図である。
【図７】図４におけるＤ−Ｄ線断面図である。
【図８】塗布体の変形例を示す斜視図である。
【図９】塗布体の変形例を示す断面図である。
【符号の説明】
【００３６】
１  支持具
２  塗布体
３  口金
５  芯材
６  塗布要素
７  装着部
８  保形体
１０  起毛面
１６  突起
１７  凹部
１８  遊動空間
【図１】
2010057791.tif 000003
【図２】
2010057791.tif 000004
【図３】
2010057791.tif 000005
【図４】
2010057791.tif 000006
【図５】
2010057791.tif 000007
【図６】
2010057791.tif 000008
【図７】
2010057791.tif 000009
【図８】
2010057791.tif 000010
【図９】
2010057791.tif 000011